(57)【要約】【課題】瓶の内圧が上昇した際に保持性を失ったり完全に抜け落ちてしまったりすることのない蓋締め要素の提供。【解決手段】瓶の口の中に係合する栓に圧接し、外向きの封止用膨出部(13)を含む第１の封止領域(9)を有する封止要素が環状膨出部(15)を有し、該環状膨出部(15)が、前記封止用膨出部(13)から、栓の頭部とは反対側で一定の長さの位置に配置され、前記第１の封止領域(9)が、前記栓(3)と対向するその内側に一つの内側膨出部(17)を有する蓋締め要素において、前記封止要素が、前記栓と前記頭部の間の移行領域に配置され、少なくとも一つの逃げ溝が、前記環状膨出部(15)の外周面に設けられ、前記内側膨出部(17)が、前記封止用膨出部(13)の近傍に配置され、かつ、前記内側膨出部(17)が、前記栓(3)の滑らかな表面に圧接して、前記封止用膨出部(13)を外方に向けて支持するように作用する蓋締め要素。【選択図】  図1
2011073795.tif 000002
【特許請求の範囲】
【請求項１】
瓶の蓋締め要素であって、瓶の口の中に係合する一つの栓、前記栓の外径よりも大きい外径を有する頭部、および前記栓に圧接しかつ少なくとも一つの外向きの封止用膨出部(13)を含む第１の封止領域(9)を有している封止要素を有し、前記封止要素が、少なくとも一つの環状膨出部(15)を有し、該環状膨出部(15)が、前記封止用膨出部(13)から、前記頭部とは反対側で、一定の長さの位置に配置され、かつ、前記第１の封止領域(9)が、前記栓(3)と対向するその内側に、少なくとも一つの内側膨出部(17)を有する蓋締め要素において、
前記封止要素が、前記栓と前記頭部の間の移行領域に配置され、
少なくとも一つの逃げ溝が、前記環状膨出部(15)の外周面に設けられ、
前記内側膨出部(17)が、前記封止用膨出部(13)の近傍に配置され、かつ、
前記内側膨出部(17)が、前記栓(3)の滑らかな表面に圧接して、前記封止用膨出部(13)を外方に向けて支持するように作用することを特徴とする蓋締め要素。
【発明の詳細な説明】
【技術分野】
【０００１】
本発明は、瓶の蓋締め要素に関する。
【背景技術】
【０００２】
本明細書において言及される種類の蓋締め要素は、知られている。これらは特に、中身が高価値のものである瓶、特にガラス製の瓶において使用されるものである。瓶の中身の密封遮断性を保証するために、封止要素が備えられる。本明細書において言及される種類の蓋締め要素は、製造業者のところで蓋締めが行われた後は通常、たとえば、瓶に蓋締め要素を保持する一つのプラスチックキャップまたはアルミニウムキャップにより、確実に固定されるようになっている。最初に開いた後、すなわちこのキャップを取り外した後は、蓋締め要素が、封止要素と瓶との間の摩擦により保持されるようになっている。このため瓶の内部の圧力が上昇すると、蓋締め要素が、保持性を失い場合によっては完全に抜け落ちてしまうまで、瓶の口部領域から押し出されてしまう場合がある。
【発明の概要】
【発明が解決しようとする課題】
【０００３】
したがって本発明の課題は、この短所を付随しない瓶の蓋締め要素を得ることにある。
【課題を解決するための手段】
【０００４】
この課題を解決するために、請求項１に記載の特徴を提示する蓋締め要素が提案される。この蓋締め要素は、飲料の瓶の口の中にはまり込んでこれと係合する栓と、外径がこの栓の外径よりも大きい頭部とを有している。栓と頭部との間の移行領域に配置される封止要素は、栓に密接する第１の封止領域を有している。飲料の瓶の内部空間は、この第１封止領域に備えられる少なくとも一つの外向きの封止用膨出部により密閉される。この蓋締め要素は、第１封止領域の頭部とは反対側に、外向きに突出する少なくとも一つの突起、好ましくは、膨出部の外周面に設けられた少なくとも一つのリセスを有する環状の膨出部を有することを特徴としている。
【０００５】
それにより、蓋締め要素と瓶との間には、補足的な保持力がもたらされるようになる。瓶の内部に超過圧力が生じると、蓋締め要素は、瓶の口から若干、すなわち、パッキンとして作用する封止用膨出部が、瓶の内部空間をもはや密閉することなく、超過圧力を逃がすことができるところまで瓶の口から押し出されるまで、押し出されるようになっている。この封止用膨出部に対して一定の間隔をおいて配置される少なくとも一つの突起により、もしくは環状の膨出部の逃げ溝により、内圧は瓶から外へ逃げることができる。それと同時に、蓋締め要素が、なおも十分な保持性で瓶に取り付いており、口から抜け落ちる怖れがないことを保証している。
【０００６】
その他の構成例は、蓋締め要素についての下記の点を特徴とする。
前記封止要素(7)が、前記頭部(5)に圧接し、かつ前記第１の封止領域(9)に連続する第２の封止領域(11)を有することを特徴とする。
前記封止要素(7)が、一体の部品であることを特徴とする。
前記内側膨出部(17)が、前記外側に位置する膨出部(15)の近傍に配置されることを特徴とする。
前記封止要素(7)がプラスチック製であることを特徴とする。
少なくとも前記栓(3)がガラス製であることを特徴とする。
少なくとも前記栓(3)が金属および／またはプラスチック製であることを特徴とする。
【図面の簡単な説明】
【０００７】
【図１】本発明に係る蓋締め要素を側面から見た原理図であり、そこには蓋締め要素の封止要素が縦断面図で示されている。
【発明を実施するための形態】
【０００８】
次に本発明を図に基づき詳しく説明する。唯一の図は、蓋締め要素を側面から見た原理図であり、そこには蓋締め要素の封止要素が縦断面図で示されている。
【０００９】
図示の蓋締め要素1は、瓶の口に差し込むことができる栓3を有している。この栓には、外径が栓3の外径よりも大きい頭部5が接続されている。たとえば頭部5の外径は、瓶がさながら蓋締め要素に移行するかのように、瓶の口部領域の外径と実質的に等しくするとよい。栓3および頭部5は、一体式に構成されることが好ましい。
【００１０】
栓3と頭部5との間の移行領域には、栓3に密接する少なくとも一つの第１の封止領域9を有する封止要素7が備えられる。この封止領域に連続して、図に示されるように、下側から頭部5に密接する第２の封止領域11が備えられると好ましい。
【００１１】
第１封止領域9の栓3とは反対側の外側には、ここでは瓶の内部空間を雰囲気に対して封止する封止用膨出部13が備えられる。複数のそのような封止用膨出部を、上下に並べて、すなわち互いに対して一定の間隔を保持して備えるようにしてもよい。ここでは、封止用膨出部13の頭部5とは反対側に、瓶の内部空間を封止用膨出部13に対して封止しない、すなわち導通路を形成している少なくとも一つのリセスを外周面に有する環状の膨出部15が備えられる。したがって瓶の内部空間に作用する圧力は、依然として封止用膨出部13に作用できるようになっている。
【００１２】
膨出部15の代わりに、少なくとも一つの突起、好ましくは、仮想円の円周に沿って、互いに対して一定の間隔をおいて配置されて、瓶の内部空間を封止用膨出部13に対して耐圧密閉しない、複数の突起を備えるようにしてもよい。
【００１３】
第１封止領域9の栓3と対向した側には、内側膨出部17が備えられる。この内側膨出部は、封止用膨出部13の下側の領域に備えられるが、蓋締め要素1の中心軸19に向かって見たその膨らみと高さは、封止用膨出部13よりも小さくなっている。この内側膨出部17は、封止用膨出部13の支持部材としても、また栓3への封止要素7の保持部材としても利用される。
【００１４】
それに加えてさらに、膨出部15ないしはここに備えられる少なくとも一つの突起の領域にも同様に、内側膨出部が備えられることができる。少なくとも一つの内側膨出部17の寸法および個数は、様々な適用事例に応じて適合化されることができる。
【００１５】
第２封止領域11の頭部5とは反対側の下面には、中心軸19と同心で延びる少なくとも一つの環状膨出部21が備えられる。ここに示される実施例においては、互いに同心で配置される二つの環状膨出部21および23が示されている。これらは、補足的な封止部材として利用できるものであるが、ほかにも、蓋締め要素1が瓶にかぶせられて、環状膨出部21、23により瓶の口を取り囲んでいる壁領域に接して支持される間には、蓋締め要素1に加わる衝撃を減衰して受け止めるためにも利用できるようになっている。
【００１６】
この蓋締め要素1の機能については、以下のようにまとめることができる。
【００１７】
瓶の蓋締めのために、蓋締め要素1は、栓3が瓶の口の中にはめ込まれてこれと係合し、頭部5が瓶の口を取り囲んでいる壁領域に接して支持されるように、瓶の上にかぶせられる。封止要素7は、瓶の内部空間を密封遮断するために利用され、そこでは少なくとも一つの第１の封止領域9により、栓3の領域における密閉状態がもたらされる。それに加え、さらにもう一つの第２の封止領域11を備えることもできる。封止要素7は、第１封止領域9が第２封止領域11に移行するように、一体式に構成されることが好ましい。第１封止領域9は、実質的に円筒形状に、または若干テーパさせて構成され、中心軸19と同心で配置される。第２封止領域11は、中心軸19に対して垂直な平面上に位置している。
【００１８】
瓶の内部空間の密封遮断性は、封止用膨出部13によりもたらされる。これにより通常は、蓋締め要素1を瓶に保持するために十分な保持力ももたらされる。これに補足して、頭部5側から見て封止用膨出部13の下側に配置される少なくとも一つの突起ないしは膨出部15によっても、さらに保持力がもたらされる。そこでは、瓶の内部空間で上昇した圧力が、封止用膨出部13まで作用できるように、瓶の内部空間の封止が行われない点が重要である。
【００１９】
したがって瓶の内部で圧力が上昇すると、栓3は、超過圧力が封止用膨出部13を通過して逃げることができるようになるまで、瓶の口から若干押し出される。この位置においても、封止用膨出部13の下側に少なくともさらにもう一つの突起、好ましくは膨出部15が備えられるために、蓋締め要素1は瓶の口の内部になおも十分に保持される。この膨出部15には、少なくとも一つのリセスが備えられるために、瓶の内圧は、そこから逃げることが可能であり、その結果蓋締め要素1の、瓶から出ようとする軸方向へのそれ以上の変位は生じない。
【００２０】
当初の蓋締め状態においては、蓋締め要素1の頭部5全体が、瓶の口を取り囲んでいる壁の上に、厳密には第２封止要素11により設定される一定の間隔をおいて、実際に載置されている一方で、内部空間の上昇した内圧が低下した後には、蓋締め要素が、頭部5と瓶との間隔がさらに拡大したところに位置している。消費者は、このことだけで、蓋締め要素が瓶の内圧により変位したことを認識することができる。中身が発泡性のものではない場合は、この変位が、中身が腐敗して発酵していることを示す指標として利用することができるだろう。
【００２１】
蓋締め要素1は、瓶の中身の風味を損なわないようにするために、全体がガラスから作られることが好ましい。もっとも、栓だけを、少なくとも瓶の中身と接触する領域を、ガラス製とすれば足りるかもしれない。しかし蓋締め要素1は、瓶の中身の風味を損なわない、金属、セラミック、またはプラスチックから作られてもかまわない。同様に封止要素7については、一方では瓶の内部空間の封止性を保証するために十分な弾性を有しており、他方では瓶への十分な保持性を蓋締め要素1にもたらすとともに、中身の風味を同様に損なわないプラスチックが選択される。
【００２２】
ほかにも蓋締め要素1を、ガラス、金属、またはセラミックから製造し、これに、封止要素7を実現すると同時に、封止要素7に備えられるような輪郭形状を有するプラスチック被覆を施すようにしてもよい。
【００２３】
蓋締め要素1の上述の機能の原理からも明らかであるように、封止要素7は、瓶の内部空間を封止する少なくとも一つの封止用膨出部13を有する以外にも、蓋締め要素1を、これが中心軸19の向きに変位した後にも確実に瓶に保持するようになっている、保持領域を有している。この機能を保証するために、封止用膨出部13の下側、すなわち頭部5とは反対側に、蓋締め要素1を瓶の口部領域の内部に保持することができる少なくとも一つの突起が備えられる。しかし、複数の突起、特に、蓋締め要素1がほぼ中心軸19の向きに変位した場合にも、蓋締め要素1が瓶の口の内部に確実に保持されるようにする少なくとも一つのリセスを備えた環状の膨出部15が備えられると好適である。
【図１】
2011073795.tif 000003